(57)【要約】【課題】段ボール箱のフラップの合わせ目に貼り付ける梱包テープの貼り付け作業が容易に、しかもきれいに行えるようにするとともに、構成を簡素にする。【解決手段】引き出された梱包テープＸの先端を段ボール箱Ｗに接触させる先端貼り付け部３２と、引き出された梱包テープＸを切断するテープ切断部３３と、切断された梱包テープＸの後端を段ボール箱Ｗに押さえつける後端貼り付け部３４を走行体３５に搭載し、この走行体３５を、段ボール箱Ｗを停止状態で保持する保持空間２３の上に保持する。この走行体３５を、梱包テープＸの貼り付けを行う方向に貼り付け開始位置から貼り付け終了位置まで往復動可能にする。保持空間２３の上における貼り付け開始位置には、下方に回転してテープ切断を終えたテープ切断部３３と、下方に回転してテープ押さえを終えた後端貼り付け部３４を、付勢力に抗して回転させて初期状態に戻す初期設定部材６５を備える。【選択図】図１
2015101436.tif 000002
【特許請求の範囲】
【請求項１】
梱包テープを引き出し可能に保持するテープ保持部と、引き出された前記梱包テープの先端を梱包体に接触させる先端貼り付け部と、引き出された前記梱包テープを切断するテープ切断部と、切断された前記梱包テープの後端を前記梱包体に押さえつける後端貼り付け部を有する梱包テープ貼り付け器であって、
前記梱包体を停止状態で保持する保持空間を有した支持台が設けられ、
該支持台における前記保持空間の上に、前記梱包テープの貼り付けを行う方向に貼り付け開始位置から貼り付け終了位置まで往復動する走行体が備えられ、
該走行体に、前記テープ保持部、前記先端貼り付け部、前記テープ切断部および前記後端貼り付け部が搭載され、
前記テープ切断部および前記後端貼り付け部には、下方に移動したときにそれぞれ梱包テープ切断作用、梱包テープ押さえつけ作用をするように下方に付勢する付勢手段が備えられ、
前記保持空間の上における前記貼り付け開始位置には、該貼り付け開始位置に前記走行体を戻すときに前記テープ切断部および前記後端貼り付け部を前記付勢手段の付勢力に抗して上方に移動させて初期位置に復帰させる初期設定部材が設けられた
梱包テープ貼り付け器。
【請求項２】
前記走行体に、前記梱包体の上面を押圧する押圧部材を備え、
該押圧部材を保持する軸部に前記テープ切断部が枢着された
請求項１に記載の梱包テープ貼り付け器。
【請求項３】
前記テープ切断部が、前記付勢手段で下方に付勢された切断移動部材と、該切断移動部材に設けられて前記梱包体の上を走行するときに前記梱包体に接して回転する回転体を有し、
前記切断移動部材の中間部にカッタを備えた
請求項１または請求項２に記載の梱包テープ貼り付け器。
【請求項４】
前記後端貼り付け部が、前記保持手段で下方に付勢された貼り付け移動部材と、該貼り付け移動部材に設けられて前記梱包体の上を走行するときに前記梱包体に接して回転し、下方へ移動したときに前記梱包テープを押さえつける押圧ローラを有し、
前記後端貼り付け部が、前記先端貼り付け部および前記テープ切断部とは非接触に形成された
請求項１から請求項３のうちいずれか一項に記載の梱包テープ貼り付け器。
【請求項５】
前記支持台における前記保持空間の下面を形成する載置部と前記走行体との間の高さを変更可能な高さ変更機構を有する
請求項１から請求項４のうちいずれか一項に記載の梱包テープ貼り付け器。
【請求項６】
前記支持台における前記保持空間の下面を形成する載置部に、前記走行体に対する前記梱包体の位置を規制する位置規制機構が、位置調節可能に形成された
請求項１から請求項５のうちいずれか一項に記載の梱包テープ貼り付け器。
【請求項７】
前記支持台における前記保持空間の上に、前記梱包体の上面のうち前記走行体の走行路を境にした一方側の部分を押さえる天井面部を有した
請求項１から請求項６のうちいずれか一項に記載の梱包テープ貼り付け器。
【発明の詳細な説明】
【技術分野】
【０００１】
この発明は、たとえば段ボール箱などのような梱包体に梱包テープを貼り付けるための梱包テープ貼り付け器に関し、より詳しくは、梱包体を動かさずにテープの貼り付けができる梱包テープ貼り付け器に関する。
【背景技術】
【０００２】
段ボール箱のフラップの合わせ目にテープを一直線状に貼って封かんする装置としては、たとえば下記特許文献１に開示されたものがある。この装置は、段ボール箱を搬送する搬送路の上に封緘部を有し、搬送路上で段ボール箱を手で押して封緘部の下を通過させる過程で、テープの貼り付けを行うものである。
【０００３】
封緘部は、下への突出位置と上への埋没位置に回転するアームの先端に設けられテープの前端を押圧する押圧ローラと、一端が枢着され下方に付勢されたカッタアームに設けられたカッタと、前記押圧ローラを設けるアームと連動して逆向きに回転するように連結ロッドで連結されたアームの先端に設けられテープの後端を押圧する押圧ローラを、搬送路の上流に対応する側から順に有している。テープの先端部は、テープの先端を押圧する押圧ローラの前で垂れ下がった状態である。
【０００４】
つまり、搬送路に段ボール箱を搬送すると、段ボール箱の搬送方向側の一端面が、下に垂れさがって押圧ローラで支えられているテープに接して貼り付き、段ボール箱の搬送に伴ってテープが引き出されながらテープは押圧ローラで押圧されて段ボール箱のフラップの合わせ目に貼り付く。段ボール箱が所定の位置に達するとカッタアームは下方に回転し、テープを切断する。その後、段ボール箱の搬送に伴ってテープの後端を押圧する押圧ローラが下に突出し、テープの後端を段ボール箱の反搬送方向側の他端面に押圧する。
【０００５】
しかし、段ボール箱は人手で押さなければ搬送されないので、段ボール箱が重い場合にはテープの貼り付けは困難である。
【０００６】
このため、大掛かりな搬送装置を必要としない、下記特許文献２のような封緘装置が提案されている。この装置は、搬送路の上方に、モータで回転駆動する一対の送りローラを、段ボール箱を挟むような状態に配設した構成である。
【０００７】
送りローラが段ボール箱を送る動作を補助するので、搬送にかかる負担を軽減できるうえに、構成も簡素である。
【０００８】
しかし特許文献１、２のいずれの装置も、段ボール箱を搬送させる必要があるため、フラップが開かないように押さえながら搬送のための力を加えなければならない。この動作は片手では行えないので、段ボール箱の大きさや、フラップ面の高さによっては動作が窮屈な場合がある。
【０００９】
また段ボール箱を動かす必要があるため、搬送しようと段ボール箱を押すときや送りローラで送るときに、段ボール箱やそのフラップが傾いたりして、テープの貼り付けがきれいにできないおそれもある。さらに、段ボール箱を搬送しながらテープの貼り付けを行う構成であるので、段ボール箱に対するテープの先端の貼り付けが十分に行えなかったり、搬送速度が作業者のペースにあわなかったりした場合には、手で貼りなおすこともできず、貼り付け不良ができたり、搬送中にテープがはがれたりする不都合も生じ得る。
【先行技術文献】
【特許文献】
【００１０】
【特許文献１】特開２０１０−１６３１７４号公報
【特許文献２】特開２０１１−６８４０８号公報
【発明の概要】
【発明が解決しようとする課題】
【００１１】
そこで、この発明は、梱包テープの貼り付けが容易に、しかもきれいに行えるうえに、構成が簡素であるようにすることを主な目的とする。
【課題を解決するための手段】
【００１２】
そのための手段は、梱包テープを引き出し可能に保持するテープ保持部と、引き出された前記梱包テープの先端を梱包体に接触させる先端貼り付け部と、引き出された前記梱包テープを切断するテープ切断部と、切断された前記梱包テープの後端を前記梱包体に押さえつける後端貼り付け部を有する梱包テープ貼り付け器であって、前記梱包体を停止状態で保持する保持空間を有した支持台が設けられ、該支持台における前記保持空間の上に、前記梱包テープの貼り付けを行う方向に貼り付け開始位置から貼り付け終了位置まで往復動する走行体が備えられ、該走行体に、前記テープ保持部、前記先端貼り付け部、前記テープ切断部および前記後端貼り付け部が搭載され、前記テープ切断部および前記後端貼り付け部には、下方に移動したときにそれぞれ梱包テープ切断作用、梱包テープ押さえつけ作用をするように下方に付勢する付勢手段が備えられ、前記保持空間の上における前記貼り付け開始位置には、該貼り付け開始位置に前記走行体を戻すときに前記テープ切断部および前記後端貼り付け部を前記付勢手段の付勢力に抗して上方に移動させて初期位置に復帰させる初期設定部材が設けられた梱包テープ貼り付け器である。
【００１３】
この構成では、支持台の保持空間の所定位置に保持した梱包体の上を、貼り付け開始位置から貼り付け終了位置まで走行体を走行させると、テープ保持部に保持された梱包テープの先端が先端貼り付け部によって梱包体に貼り付けられ、走行体の走行に従って梱包テープが引き出され、所定長さ引き出されると付勢手段の付勢力でテープ切断部が梱包テープを切断し、続いて後端貼り付け部が付勢手段の付勢力で移動して、梱包テープの後端を梱包体に貼り付ける。このとき、作業者の片手は自由であるので、自由な手を梱包体に添えて梱包体の形を整えるなどの必要な処理をすることができる。
【００１４】
梱包テープの貼り付け後は、走行体を貼り付け開始位置に戻すと、初期設定部材がテープ切断部と後端貼り付け部を上方へ移動して初期位置に復帰せさて、次の貼り付け作業を可能とする。
【発明の効果】
【００１５】
以上のように、この発明によれば、梱包体を動かす必要がないので、梱包テープの貼り付けが容易に行える。しかも、自由な片手で梱包体の形を整えた状態で作業者のペースにあった速度で貼り付けができるので、美麗な貼り付け状態を得られ、貼り付け不良をなくすことができる。
【００１６】
そのうえ、梱包体を搬送する搬送装置は不要であるうえに、走行体に搭載される各部は連動させる必要もないので、全体の構成は簡素で、コストの低減も図ることができる。
【図面の簡単な説明】
【００１７】
【図１】梱包テープ貼り付け器の正面図。
【図２】梱包テープ貼り付け器の側面図。
【図３】テープユニットの正面図。
【図４】テープユニットの断面図。
【図５】テープユニットの平面図。
【図６】作用状態を示す説明図。
【発明を実施するための形態】
【００１８】
この発明を実施するための一形態を、以下図面を用いて説明する。  
図１は、梱包テープ貼り付け器１１の正面図であり、図２はその側面図である。この梱包テープ貼り付け器１１は、梱包体の一例としての段ボール箱Ｗを封かんするのに適したもので、段ボール箱Ｗの一方の端面の上部から上面のフラップの合わせ目、他方の端面の上部までに梱包テープＸを一直線上に貼り付けることができるように構成されている。
【００１９】
梱包テープ貼り付け器１１は、支持台１２と、この支持台１２の上部において一直線上を往復動するテープユニット１３を有する。
【００２０】
支持台１２は、接地する基台２１と、この基台２１の背面側に立設された支柱２２を有し、基台２１の上方に、段ボール箱Ｗを停止状態で保持する保持空間２３を有する。保持空間２３の下面は、段ボール箱Ｗを支えるのに十分な広さの平板からなる載置台２４で形成されている。載置台２４は、支柱２２に沿って上下方向の所望の位置で位置固定できるように高さ変更手段としての載置台高さ変更機構２５を有している。載置台高さ変更機構２５は、支柱２２上を摺動するスライダ２５ａと、位置固定のための固定ねじ２５ｂなど、周知の適宜の構造で構成される。
【００２１】
載置台２４には、図２に示したように、テープユニット１３に対する段ボール箱Ｗの幅方向の位置を規制する位置規制機構２６が、位置調節可能に形成されている。位置規制機構２６は、段ボール箱Ｗの底面における梱包テープＸを貼り付ける方向に沿った支柱２２側の角に当接して位置決めするもので、梱包テープＸの貼り付け方向に長いアングル状の規制部材２６ａを有する。この規制部材２６ａは、固定手段２６ｂによって梱包テープＸの幅方向に位置調節可能である。固定手段２６ｂは、たとえば相互に噛み合いスライド可能とする嵌合構造と、位置固定のためのねじ構造など、周知の構造で構成される。
【００２２】
支柱２２における載置台２４よりも上方には、テープユニット１３を保持するユニット保持具２７が備えられている。ユニット保持具２７は、図２に示したように、支柱２２上を摺動するスライダ２７ａと、このスライダ２７ａの正面から延設された延設部２７ｂと、延設部２７ｂの先端で延設部２７ｂの延設方向と直交する方向（梱包テープＸの貼り付け方向）に長い固定板部２７ｃを有する。スライダ２７ａは、テープユニット１３の高さを変更するための高さ変更機構の一部を構成するものである。このスライダ２７ａには、位置固定のためのねじなどからなる固定具２７ｄが備えられる。延設部２７ｂは、貼り付け対象となる複数種類の大きさの段ボール箱Ｗに対応できるように必要な長さに設定されている。また、この延設部２７ｂの下面は平面状に形成され、この下面を、保持空間２３に保持される段ボール箱Ｗの上面のうち梱包テープＸを貼り付ける位置（テープユニット１３の走行路）を境にした一方側（支柱２２側）の部分を押さえる天井面部２７ｅとしている。
【００２３】
固定板部２７ｃには、テープユニット１３を所望距離走行可能とする長さのスライドレール２８が固定される。スライドレール２８は、図１に示したように、長尺のレール２８ａと、このレール２８ａ上をスライドする短尺の板状のスライダ２８ｂと、スライダ２８ｂの摺動範囲を規制するストッパ２８ｃを備えたものである。スライダ２８ｂは、梱包テープＸの貼り付けを行う方向に貼り付け位置から貼り付け終了位置まで往復動するように設定される。
【００２４】
このスライダ２８ｂに、テープユニット１３が固定される。
【００２５】
テープユニット１３は、図３、図４、図５に示したように、梱包テープＸを引き出し可能に保持するテープ保持部３１と、引き出された梱包テープＸの先端を段ボール箱Ｗに接触させる先端貼り付け部３２と、引き出された梱包テープＸを切断するテープ切断部３３と、切断された梱包テープＸの後端を段ボール箱Ｗに押さえつける後端貼り付け部３４と、これらを搭載しスライドレール２８のスライダ２８ｂに直接固定される走行体３５で構成されている(図１参照)。
【００２６】
走行体３５は、正面側（反支柱２２側）の正面板４１と背面側（支柱２２側）の背面板４２を、隙間をあけて一体に連結して構成される。正面板４１は、図３に示したように、水平に延びる底辺を有する底辺部４１ａと、この底辺部４１ａより上方で山型をなす延長部４１ｂと、底辺部４１ａにおける走行体３５の往路方向（前方）の端部から延びるアーム部４１ｃを有する。背面板４２は、図４に示したように、水平に延びる底辺を有する底辺部４２ａと、底辺部４２ａにおける走行体３５の往路方向（前方）の端部から延びるアーム部４２ｃを有する。正面板４１と背面板４２のアーム部４１ｃ，４２ｃの形状は同一で、アーム部４１ｃ，４２ｃの先端部に正面板４１と背面板４２を一体に連結するハンドル４３が形成されている。
【００２７】
前記テープ保持部３１は、梱包テープＸの巻き芯Ｘａを嵌合する回転保持部材４５を、走行体３５の正面板４１における背面側の面に対して回転可能に装着して形成される。走行体３５の正面板４１が延長部４１ｂを有するのに対して背面板４２がそれを有しないのは、回転保持部材４５に対する梱包テープＸの着脱を容易にするためである。
【００２８】
前記先端貼り付け部３２は、テープ保持部３１から下方前方に向けて引き出されて粘着面を前方に向けた梱包テープＸの先端部の背面を受ける部分で、走行体３５よりも下に垂れる押さえ板４７を有する。押さえ板４７は、上端の両側に斜め上に延びるアーム４７ａを有し、これらアーム４７ａの先端部４７ｂが、走行体３５の正面板４１と背面板４２の底辺部４１ａ，４２ａ同士を連結する軸部４８に保持される。軸部４８に保持されるアーム４７ａの先端部４７ｂには、図示しない付勢手段と位置決め手段が備えられており、押さえ板４７が前方に回転するように付勢された状態で前面が垂直となる姿勢に保持される。付勢手段の付勢力は、テープユニット１３を段ボール箱Ｗの上で走行させたときに付勢手段の付勢力に抗して押さえ板４７がテープユニット１３の後方に回転するように設定する。
【００２９】
押さえ板４７を保持する軸部４８における押さえ板４７のアーム４７ａの間には、テープユニット１３を段ボール箱Ｗの上に走行させたときに段ボール箱Ｗの上面、つまり梱包テープＸを貼り付けた部分を押圧する押圧部材としての上面押圧ローラ４９が回転自在に保持されている。この上面押圧ローラ４９の前端位置と押さえ板４７の前面は、面一になるように設定されている。上面押圧ローラ４９は梱包テープＸよりも幅広である。
【００３０】
この上面押圧ローラ４９よりも前側には、引き出されている梱包テープＸの先端部を軽く押さえる押さえ部材５０が設けられている。押さえ部材５０は、接触面積を小さくするため周面に多数の凹凸を有する非粘着ローラ５０ａと、この非粘着ローラ５０ａを回転可能で、かつ上面押圧ローラ４９に対して接離方向に回転可能に走行体３５に対して保持する回転支持軸部材５０ｂからなる。
【００３１】
前記テープ切断部３３は、切断移動部材としての、両側に配設される２枚のカッタアーム５２と、それぞれのカッタアーム５２の先端に回転可能に設けられて段ボール箱Ｗの上を走行するときに段ボール箱Ｗに接して回転する回転体５３と、カッタアーム５２の中間部に取り付けられたカッタ５４を有する。
【００３２】
カッタアーム５２は、端部同士が略直角に交わる細幅板状の長辺部５２ａと細幅板状の短辺部５２ｂを有する形状で、長辺部５２ａの端部が、前記押さえ板４７と前記上面押圧ローラ４９を保持する軸部４８における上面押圧ローラ４９の両側位置に対して回転可能に保持されている。カッタアーム５２の回転角度の下限は、梱包テープＸの切断を可能とする適宜の角度に設定される。
【００３３】
カッタアーム５２は、長辺部５２ａと短辺部５２ｂが交わる角部５２ｃを上にして取り付けられ、その角部５２ｃに走行体３５の正面板４１を通して外方に突出する突起部５２ｄを有している。この突起部５２ｄは、カッタアーム５２を下方へ回転するように付勢する付勢手段としてのばね５５の一端を固定する部分である。ばね５５の他端は、走行体３５の正面板４１の下方に設けられた固定部４１ｄに保持される。正面板４１における突起部５２ｄの軌跡部分には、切欠き部４１ｅが形成されている（図３参照）。
【００３４】
２枚のカッタアーム５２間における長辺部５２ａの長手方向の中間部には、カッタアーム５２が下方に移動したときに梱包テープＸを切断するように、下に向けて突出する前記カッタ５４が固定されている。カッタ５４の位置は、回転体５３が段ボール箱Ｗの上面から落ちてカッタアーム５２が下方に回転したときに所定の長さで梱包テープＸを切断できるように設定する。またカッタ５４は、突出量（先端位置）を調節できるように移動可能に固定される。
【００３５】
前記後端貼り付け部３４は、貼り付け移動部材としての、両側に配設される２枚の貼り付けアーム５７と、これら貼り付けアーム５７の先端に回転可能に設けられて段ボール箱Ｗの上を走行するときに段ボール箱Ｗに接して回転し、下方へ移動したときに梱包テープＸを押さえつける押圧ローラとしての後端押圧ローラ５８を有する。後端押圧ローラ５８は梱包テープＸよりも幅広である。
【００３６】
貼り付けアーム５７は細幅の略半円弧状に形成され、湾曲する部分を上にして取り付けられ、後方の一端が、走行体３５の正面板４１と背面板４２を連結する軸部５９に枢支されている。後端押圧ローラ５８は、貼り付けアーム５７の前方の他端間に保持される。
【００３７】
この貼り付けアーム５７を下方へ回転するように付勢するため、貼り付けアーム５７の中間部同士を連結する連結杆６０に、付勢部材６１が取り付けられている。付勢部材６１は、一端が連結杆６０に固定されるワイヤ６１ａと、このワイヤ６１ａの他端に連結されたばね６１ｂとからなる。ワイヤ６１ａは、貼り付けアーム５７の連結杆６０から、貼り付けアーム５７を取り付ける前記軸部５９と、この軸部５９より上に設けられて走行体３５の正面板４１と背面板４２を連結一体化する連結杆６２を介して前方に引きまわされ、前記ばね６１ｂの先端が、走行体３５の正面板４１と背面板４２における底辺部４１ａ，４２ａの上部同士を連結する連結杆６３に保持されている。
【００３８】
貼り付けアーム５７の回転角度の下限は、下方へ移動しながら梱包テープＸを押さえつけられるように適宜の角度に設定される。
【００３９】
この後端貼り付け部３４は、前記先端貼り付け部３２とテープ切断部３３とは別に、これらと非接触の状態で形成されている。ただし、後端貼り付け部３４の貼り付けアーム５７は、テープユニット１３が段ボール箱Ｗの端面位置を通過するときに、テープ切断部３３のカッタアーム５２よりも若干遅れて下方に回転するように、テープ切断部３３の回転体５３と後端貼り付け部３４の後端押圧ローラ５８の大きさを考慮して、長さ等が設定されている。
【００４０】
このように構成されたテープユニット１３のテープ切断部３３と後端貼り付け部３４は、常態においてはカッタアーム５２と貼り付けアーム５７がともに下方へ飛び出すので、テープユニット１３を貼り付け開始位置に戻したときに、それらを共に付勢力に抗して上方に移動してテープ切断や貼り付けを行う前の初期位置に復帰させる初期設定部材６５が、保持空間２３の上における貼り付け開始位置に備えられている。初期設定部材６５は、図１、図２、図４に示したように、ユニット保持具２７の延設部２７ｂの下面である天井面部２７ｃと同じ高さの水平板６５ａと、この水平板６５ａの前端から前方斜め下にのびる傾斜部６５ｂと、この傾斜部６５ｂの先端から下方へ垂れる垂下板６５ｃを有している。垂下板６５ｃの位置は、押さえ板４７の前面と面一に並ぶか、面一に近い状態となる位置に設定される。傾斜部６５ｂの長さや角度は、テープ切断部３３と後端貼り付け部３４の大きさや突出態様に応じて、突出状態のテープ切断部３３と後端貼り付け部３４が、テープユニット１３を押すだけで無理な力をかけずとも収まるように設定する。
【００４１】
以上の構成の梱包テープ貼り付け器１１では、まず封かんする段ボール箱Ｗの大きさに応じて、支持台１２における載置台２４やユニット保持具２７の高さを調節する。つまり、載置台２４の上面とユニット保持具２７の天井面部２７ｅの間の距離が、段ボール箱Ｗの高さと同じになるように調節する。また、載置台２４の高さは、ユニット保持具２７で保持されるテープユニット１３を作業者が使いやすい高さになるように調節する。
【００４２】
この高さ調節と合わせて、位置規制機構２６の位置調節も行う。つまり、段ボール箱Ｗの幅に対応して段ボール箱Ｗの上面のフラップの合わせ目が、梱包テープＸの幅方向の中間位置に対応するように、規制部材２６ａの位置を梱包テープＸの幅方向にずらして調節する。
【００４３】
つぎに段ボール箱Ｗを載置台２４の上の保持空間２３におく。このとき、段ボール箱Ｗの貼り付け開始位置側の端面位置は、段ボール箱Ｗの長さに関わらず、初期設定部材６５の垂下板６５ｃに近接する位置となるようにする。また、テープユニット１３の梱包テープＸの先端は、天井面部２７ｅもよりも下に、段ボール箱Ｗの端面に貼り付けようとする長さぶん垂れ下がった状態である。この長さは、テープ切断部３３による切断で自動的に得られる。
【００４４】
つづいて、貼り付け開始位置にあるテープユニット１３のハンドル４３を片手でつかむとともに、他方の手で段ボール箱Ｗを押さえる。このとき特にフラップの突合せを正しくする。段ボール箱Ｗの端面を貼り付け位置方向に押し付けた状態にすると、図６に示したように、初期設定部材６５の垂下板６５ｃと先端貼り付け部３２の押さえ板４７によって梱包テープＸの先端部は段ボール箱Ｗの端面に接着する。自由な片方の手で貼り付け状態を確認することも確実な貼り付け状態を得ることもできる。
【００４５】
そして、ハンドル４３を持ってテープユニット１３を手前に引く。テープユニット１３の走行に従ってテープ保持部３１の梱包テープＸは引き出され、押さえ板４７は付勢力に抗して後方に回転し、梱包テープＸは段ボール箱Ｗの上面のフラップの突き合わせ部分に貼り付く。この状態を上面押圧ローラ４９と、上方に回転した押さえ板４７が押さえ、確実な貼り付け状態をえる。
【００４６】
テープユニット１３が往路をさらに走行し、テープ切断部３３の回転体５３が段ボール箱Ｗの後端面位置に至って、段ボール箱Ｗの上面から落ちるように付勢力によって下方に回転すると、上面押圧ローラ４９の下を回って延びている梱包テープＸの上にカッタ５４が落ちて、梱包テープＸは所望位置で切断される。カッタアーム５２の先端には回転体５３を有しているので、段ボール箱Ｗを損傷するおそれはない。
【００４７】
テープユニット１３の更なる走行によって、つぎに、段ボール箱Ｗの上面を梱包テープＸの上から押さえていた後端貼り付け部３４の後端押圧ローラ５８が、段ボール箱Ｗの端面位置に至って、段ボール箱Ｗの上面から落ちるように貼り付けアーム５７は付勢力によって下方に回転する。貼り付けアーム５７の回転は、貼り付け終了位置に向けてのテープユニット１３の走行によってさらに進み、後端押圧ローラ５８は、貼り付けアーム５７の更なる回転によって梱包テープＸを抑えながら下方に移動する。
【００４８】
これで段ボール箱Ｗに対する封かんは終了する。
【００４９】
このあと、支持台１２から段ボール箱Ｗを取り出して、テープユニット１３を貼り付け開始位置に戻す。貼り付け開始位置に至るまで、テープ切断部３３と後端貼り付け部３４は走行体３５よりも下に突出した状態であるが、初期設定部材６５に後端押圧ローラ５８と回転体５３がそれぞれ当接することによって、それらは上方に回転され、貼り付け開始位置に移動したときには、後端押圧ローラ５８と回転体５３は初期設定部材６５の平板部６５ａで支えられて、貼り付け作業を行う前の状態になり、次の貼り付け作業を可能とする。
【００５０】
以上のようにして段ボール箱Ｗに対する梱包テープＸの貼り付けが行えるので、梱包テープＸの貼り付けだけのために段ボール箱Ｗを従来のように搬送する必要はなく、たとえ段ボール箱Ｗが重い場合であっても作業は容易である。また、段ボール箱Ｗを無理に搬送させようとした場合とは異なって、段ボール箱Ｗが傾いたり、そのフラップがねじれたりすることもないので、梱包テープＸのきれいな貼り付け状態が得られる。
【００５１】
作業に際しては、貼り付ける梱包テープＸの方を作業者の手で動かすので、自分のペースにあった作業ができる。また段ボール箱Ｗの一方のフラップは支持台１２の天井面部２７ｅによって押さえられるので、テープユニット１３を持たない片方の手は他方のフラップの位置合わせなどに利用できる。必要によっては梱包テープＸの貼りなおしも可能である。しかも、支持台１２は、テープユニット１３を保持するユニット保持部２７だけではなく載置台２４の高さ調節もできる構造であるので、段ボール箱Ｗの大きさの違いに対応できるだけではなく、段ボール箱Ｗの大きさに関わらずテープユニット１３の高さを作業者に適した高さとすることができる。これらの点からも、貼り付け不良のない美麗な貼り付け状態を得たり作業を容易にしたりすることに、大いに貢献する。
【００５２】
また、テープユニット１３に搭載される各部は連動させなくてもそれぞれ所望の動作をする構成である。先端貼り付け部３２とテープ切断部３３にあっては軸部４８を共用にした構成である。これらのため、梱包テープ貼り付け器１１の構造は簡素であり、コストを抑えることもできる。
【００５３】
この発明の構成と、前述の一形態の構成との対応において、
この発明の梱包体は、前記段ボール箱Ｗに対応し、  
以下同様に、  
付勢手段は、ばね５５、付勢部材６１に対応し、  
押圧部材は、上面押圧ローラ４９に対応し、  
切断移動部材は、カッタアーム５２に対応し、  
貼り付け移動手段は、貼り付けアーム５７に対応し、  
押圧ローラは、後端押圧ローラ５８に対応し、  
載置部は、載置台２４に対応し、  
高さ変更機構は、載置台高さ変更機構２５、スライダ２７ａと固定具２７ｄに対応するも、  
この発明は前述の構成のみに限定されるものではなくその他の構成を採用することもできる。
【００５４】
たとえば、梱包体は段ボール箱Ｗ以外の箱や包装袋、包装包みなどであってもよい。
【００５５】
テープユニット１３やスライドレール２８には、貼り付け終了位置に移動させたテープユニットを貼り付け開始位置に向けて戻す方向に付勢する付勢手段を備えてもよい。
【００５６】
また、テープ切断部３３や後端貼り付け部３４は、回転により作用を行う構造でなくてもよく、押さえ部材５０や上面押圧ローラ４９を省略することもできる。
【００５７】
載置部は板状ではなく箱状などその他の形状であってもよい。
【符号の説明】
【００５８】
１１…梱包テープ貼り付け器
１２…支持台
１３…テープユニット
２３…保持空間
２４…載置台
２５…載置台高さ変更機構
２６…位置規制機構
２７ａ…スライダ
２７ｄ…固定具
２７ｅ…天井面部
３１…テープ保持部
３２…先端貼り付け部
３３…テープ切断部
３４…後端貼り付け部
３５…走行体
４８…軸部
４９…上面押圧ローラ
５２…切断移動部材
５３…回転体
５４…カッタ
５５…ばね
５７…貼り付けアーム
５８…後端押圧ローラ
６１…付勢部材
６５…初期設定部材
Ｗ…段ボール箱
Ｘ…梱包テープ
【図１】
2015101436.tif 000003
【図２】
2015101436.tif 000004
【図３】
2015101436.tif 000005
【図４】
2015101436.tif 000006
【図５】
2015101436.tif 000007
【図６】
2015101436.tif 000008